(57)【要約】      （修正有）【課題】繰り返し使用することが可能であり、しかも、セメント組成物の内部にセメント組成物以外の異物を残さない型枠保持具を提供する。【解決手段】型枠保持具１０は、セパレータ１２と、コーン１４と、コーン１６とから構成されている。セパレータ１２にリブ２６及びハネ部３１が形成されている。リブ２６とハネ部３１との間にコーン１４が取り付けられている。リブ２６から端部に渡ってネジ部１８が形成されている。このネジ部１８はコンクリートに埋設される部分である。ハネ部３１から端部２１に渡ってネジ部２０が形成されている。このネジ部２０のフォームタイが取り付けられる。コーン１６は、コーン本体４７と固定具４９とを有しており、セパレータ１２のネジ部１８に螺着可能に構成されている。ネジ部１８がコンクリート構造物に埋設された状態でセパレータ１２が回転されると、セパレータ１２が抜き出される。【選択図】図１
0003147984.tif 000002
【実用新案登録請求の範囲】
【請求項１】
セメント組成物からなる構造物を構築するための第１型枠及び第２型枠の間隔を保持する型枠保持具であって、
打設後に上記セメント組成物に埋没される第１部位がネジ加工されたセパレータ軸と、
上記セパレータ軸に設けられ、上記第１型枠に当接して該第１型枠を軸方向に位置決めするための第１位置決め部材と、
上記セパレータ軸における上記第１位置決め部材よりも軸方向の外側に設けられ、上記セパレータ軸に付与される軸周りの回転力を受ける回転受け部と、を具備する型枠保持具。
【請求項２】
上記第２型枠に当接して該第２型枠を位置決めするための第２位置決め部材を更に備え、
上記第２位置決め部材は、
上記セパレータ軸の一方端に螺着される螺着部と、
上記第２型枠に当接される当接部と、
上記第２型枠に当接される当接面から垂直に延出された固定軸と、を有する請求項１に記載の型枠保持具。
【請求項３】
上記第１位置決め部材及び上記第２位置決め部材は、略半球殻形状に形成されている請求項２に記載の型枠保持具。
【請求項４】
第１保持体及び第２保持体から構成され、セメント組成物からなる構造物を構築するための型枠の間隔を保持する型枠保持具であって、
上記第１保持体及び上記第２保持体は、
打設後にセメント組成物に埋没される第１部位がネジ加工されたセパレータ軸と、
上記セパレータ軸に設けられ、上記型枠に当接して該型枠を軸方向に位置決めするための位置決め部材と、
上記セパレータ軸における上記位置決め部材よりも軸方向の外側に突設され、上記セパレータ軸に付与される軸周りの回転力を受ける回転受け部と、を備え、
上記第１保持体及び上記第２保持体それぞれのセパレータ軸同士が軸方向に互いに螺着されてなる型枠保持具。
【考案の詳細な説明】
【技術分野】
【０００１】
本考案は、セメント組成物からなる構造物を構築するための第１型枠及び第２型枠の間隔を保持する型枠保持具に関する。
【背景技術】
【０００２】
セメント組成物からなる構造物として、コンクリート製の壁などの構造物（以下「コンクリート構造物」と称する。）が建築物などに広く用いられている。コンクリート構造物は、組み立てられた型枠で囲まれた空間に打設されたコンクリートが硬化し、その後に型枠が取り外されることによって構築される。
【０００３】
コンクリート構造物の外形や厚みは、型枠の組立精度によって決定される。従って、従来から、組み立てられた型枠が設計通りとなるように、特許文献１乃至３に記載のセパレータ（型枠保持具に相当）が用いられている。セパレータには、コーンと称される位置決め部材が取り付けられている。セパレータの両端部が型枠に挿通されると、コーンが型枠の内面に当接する。これにより、型枠がコーンによって位置決めされる。型枠の外側に露出されたセパレータの端部がフォームタイと称される締結部で締結されると、型枠の組立が完了する。特許文献１乃至３に記載のいずれのセパレータを用いた場合でも、上記セパレータは、型枠で囲まれた部分、つまりコンクリートが打設される空間に配置される。そのため、当該空間にコンクリートが打設されると、セパレータの概ね中央部分がコンクリートに埋設されることになる。コンクリートが硬化した後に、フォームタイが外されて、更に型枠が取り外されると、コンクリート構造物が現れるが、このコンクリート構造物の外面にはセパレータの端部が露出した状態で残る。この端部は、従来、作業者によって切断される。なお、切断作業には、セパ折りと称されるセパレータ切断用工具（当該工具の典型は「ハンマー」）が用いられる。
【０００４】
【特許文献１】特開２０００−３２０１３９号公報
【特許文献２】特開２００８−１２７８９７号公報
【特許文献３】実開昭５６−３０２５５号公報
【考案の開示】
【考案が解決しようとする課題】
【０００５】
上述したように、前掲の特許文献１乃至３に記載のセパレータが用いられた場合、セパレータの端部を切断する必要がある。切断されたセパレータの端部は、産業廃棄物或いはリサイクル対象物として取り扱われる。しかしながら、切断された端部が廃棄されると、資源が無駄に利用されることになる。また、セパレータの材質如何によっては環境汚損問題に繋がるおそれがある。一方、切断された端部がリサイクルされる場合は、それが金属であれば粗鋼に加工され、それが樹脂であればペレットに加工される。いずれの場合であっても、新たな加工が必要となる。この新たな加工は、例えば電気や化石燃料などのエネルギーの消費を伴い、近年環境破壊の原因とされているＣＯ２ガスの発生を促すことになる。
【０００６】
また、上記セパレータが用いられた場合、セパレータの一部がコンクリート構造物の内部に残ってしまう。セパレータは、鋼材などのように、コンクリート構造物よりも堅い素材で構成されているため、コンクリート構造物内にセパレータの一部が残ると、温度変化によってコンクリート構造物が収縮した場合に、残存したセパレータの一部とコンクリート構造物との接触部に応力が集中して、コンクリート構造物に亀裂が生じるおそれがある。また、コンクリート構造物がリサイクルされる際に、素材の異なるセパレートとコンクリート構造物とを分離する作業が必要となり、リサイクル作業の効率が極めて悪くなるという問題がある。
【０００７】
そこで、本考案は、上記事情に鑑みてなされたものであり、その目的とするところは、繰り返し使用することが可能であり、しかも、セメント組成物の内部にセメント組成物以外の異物を残さない型枠保持具を提供することにある。
【課題を解決するための手段】
【０００８】
(1)  上記目的が達成されるため、本考案は、セメント組成物からなる構造物を構築するための第１型枠及び第２型枠の間隔を保持する型枠保持具として構成されている。この型枠保持具は、打設後に上記セメント組成物に埋没される第１部位がネジ加工されたセパレータ軸と、上記セパレータ軸に設けられ、上記第１型枠に当接して該第１型枠を軸方向に位置決めするための第１位置決め部材と、上記セパレータ軸における上記第１位置決め部材よりも軸方向の外側に設けられ、上記セパレータ軸に付与される軸周りの回転力を受ける回転受け部と、を具備する。
【０００９】
上記構造物は、第１型枠と第２型枠との間の空間にセパレータ軸の第１部位が配置された状態で、当該空間にセメント組成物（典型はコンクリートやモルタルなど）が打設され、そして、打設されたセメント組成物が硬化することによって構築される。このとき、セパレータ軸の第１部位は構造物の内部に入り込んでいる。セパレータ軸の第１部位がセメント組成物内に埋設された状態でセメント組成物が硬化すると、第１部位のネジと同じピッチのネジ穴が構造物内に形成される。作業者は、セメント組成物が硬化した後に、第１型枠を取り外し、そして、所定の工具を用いて回転受け部に回転力を加えて、セパレータ軸を回転させる。構造物内に没入している第１部位にはネジ加工が施されており、構造物内において第１部位に接触する部分にもネジ穴が形成されるため、セパレータ軸が回転されると、第１部位が構造物から外部に抜き出される。これにより、型枠保持具は、セパレータ軸が切断されることなく、構造物から取り外される。また、従来の如くセパレータ軸が構造物内に残存する場合は、構造物内に含有する水分がセパレータ軸を伝って外部に漏出し易いが、本発明ではセパレータ軸が抜き取れ、しかも、構造物内にネジ穴が形成されるため、ネジ穴に現れた水分が外部に漏出し難くなる。
【００１０】
(2)  本考案の型枠保持具は、上記第２型枠に当接して該第２型枠を位置決めするための第２位置決め部材を更に備える。上記第２位置決め部材は、上記セパレータ軸の一方端に螺着される螺着部と、上記第２型枠に当接される当接部と、上記第２型枠に当接される当接面から垂直に延出された固定軸と、を有する。
【００１１】
この構成の型枠保持具は、第２位置決め部材の螺着部がセパレータ軸の一方端に螺着された状態で使用される。セメント組成物の硬化後に第１型枠及び第２型枠が取り外されると、構造物の一方面にセパレート軸の端部が露出され、反対側の他方面に第２位置決め部材の固定軸が露出される。作業者は、所定の工具を用いて回転受け部に回転力を加えて、セパレータ軸を回転させる。これにより、構造物内に没入していた第１部位が外部に引き出される。また、作業者は、第２位置決め部材の固定軸を所定の工具で摘んで引っ張る方向に力を加える。これにより、第２位置決め部材が構造物から取り外される。
【００１２】
(3)  上記第１位置決め部材及び上記第２位置決め部材は、略半球殻形状に形成されている。
【００１３】
この構成によれば、第１位置決め部材及び第２位置決め部材が構造物から容易に取り外される。
【００１４】
(4)  また、本考案は、第１保持体及び第２保持体から構成され、セメント組成物からなる構造物を構築するための型枠の間隔を保持する型枠保持具として捉えることができる。上記第１保持体及び上記第２保持体は、打設後にセメント組成物に埋没される第１部位がネジ加工されたセパレータ軸と、上記セパレータ軸に設けられ、上記型枠に当接して該型枠を軸方向に位置決めするための位置決め部材と、上記セパレータ軸における上記位置決め部材よりも軸方向の外側に突設され、上記セパレータ軸に付与される軸周りの回転力を受ける回転受け部と、を備えている。この型枠保持具は、上記第１保持体及び上記第２保持体それぞれのセパレータ軸同士が軸方向に互いに螺着されることにより構成されている。
【００１５】
この構成の型枠保持具は、第１保持体及び第２保持体それぞれのセパレータ軸同士が軸方向に螺合された状態で使用される。上記構造物は、第１型枠と第２型枠との間の空間に第１保持体及び第２保持体それぞれのセパレータ軸の第１部位が配置された状態で、当該空間にセメント組成物（典型はコンクリートやモルタルなど）が打設され、そして、打設されたセメント組成物が硬化することによって構築される。このとき、各セパレータ軸の第１部位は構造物の内部に入り込んでいる。作業者は、第１型枠を取り外した後に、所定の工具を用いて回転受け部に回転力を加えて、第１保持体のセパレータ軸を回転させる。構造物内に没入している第１部位にはネジ加工が施されているため、セパレータ軸が回転すると、第１部位が構造物から外部に抜き出される。これにより、セパレータ軸が切断されることなく、第１保持体が構造物から取り外される。同様にして、作業者は、第２型枠を取り外した後に、第２保持体のセパレータ軸を回転させると、第２保持体が構造物から取り外される。
【考案の効果】
【００１６】
本考案によれば、型枠保持具を構造物から取り外す際に切断されないため、型枠保持具を繰り返し使用することができる。また、構造物の内部に型枠保持部の一部が残らないため、構造物の内部で生じる亀裂を軽減することができる。また、内部にセメント組成物以外の異物が残らないため、構造物をリサイクルする際の分別が容易となる。
【考案を実施するための最良の形態】
【００１７】
以下、適宜図面が参照されつつ、好ましい実施形態に基づいて本考案が詳細に説明される。なお、以下の実施形態は本考案が具体化された一例にすぎず、本考案の要旨を変更しない範囲で、実施形態が適宜変更され得ることは勿論である。
【００１８】
〈第１実施形態〉
まず、図１乃至図４が参照されて、本考案の第１実施形態について説明される。ここに、図１は、本考案の第１実施形態に係る型枠保持具１０を示す正面図である。図２は、型枠保持具１０が型枠８１及び型枠８２間に配置された状態を示す模式断面図である。図３は、セパレータ１２の外形及び断面を示す図であり、（Ａ）に外形図が示されており、（Ｂ）に断面図が示されている。図４は、コーン１６の外形及び断面を示す図であり、（Ａ）に外形図が示されており、（Ｂ）に断面図が示されている。
【００１９】
型枠保持具１０は、コンクリート（セメント組成物の一例）からなる構造物（以下「コンクリート構造物」と称する。）を構築する際に用いられる型枠８１，８２（図２参照）の間隔を保持する用途として用いられる。この型枠保持具１０は、図１に示されるように、セパレータ１２（セパレータ軸の一例）と、セパレータ１２に取り付けられたコーン１４（第１位置決め部材の一例）と、セパレータ１２に螺着されるコーン１６（第２位置決め部材の一例）とにより構成されている。なお、この実施形態では、セメント組成物の一例としてコンクリート構造物が例示されるが、言うまでもなく、コンクリートに限られずモルタルからなる構造物にも本発明は適用可能である。
【００２０】
図３に示されるように、セパレータ１２は、鋼製の丸棒状の部材からなる。セパレータ１２にコーン１４が取り付けられている。コーン１４は、概ね半球形状であって内部が中空の殻形状（「略半球殻形状」と称する。）に形成されている。コーン１４は、鋼板をプレス加工することにより、或いは樹脂を射出成形することにより、形成可能である。コーン１４の湾曲部２２の中心部に貫通孔２４が形成されている。貫通孔２４にセパレータ１２が挿通されている。第１実施形態では、コーン１４がセパレータ１２に挿通された状態でコーン１４の湾曲部２２が矢印４２側へ向けられている。つまり、コーン１４は、湾曲部２２が内側（矢印４２側）へ突出するようにセパレータ１２に取り付けられている。コーン１４の外側（矢印４１側）は開口されている。この開口の周縁部３３に型枠８１が当接される（図２参照）。なお、コーン１４は、略半球殻形状のものに限られない。後述されるように、コンクリート構造物からコーン１４が抜き取られ得る形状であればよい。従って、コーン１４の形状として、略半球殻形状の他に、円錐形状や四角錐形状、断面が台形の円柱形状などが採用され得る。
【００２１】
セパレータ１２の表面にリブ２６が形成されている。リブ２６は、セパレータ１２の軸周りに連続して形成されている。リブ２６の外径は、貫通孔２４よりも大きい。リブ２６の外側（矢印４１側）に２つのハネ部３１（回転受け部の一例）が形成されている。コーン１４は、リブ２６とハネ部３１との間に取り付けられている。言い換えると、コーン１４は、リブ２６よりも外側（矢印４１側）に取り付けられており、ハネ部３１は、コーン１４よりも外側（矢印４１側）に取り付けられている。従って、コーン１４は、リブ２６によって、リブ２６よりも内側（矢印４２側）への移動が規制される。
【００２２】
セパレータ１２は、リブ２６から内側（矢印４２側）の端部１９に渡ってネジが形成されたネジ部１８（第１部位の一例）と、ハネ部３１から外側（矢印４１側）の端部２１に渡ってネジが形成されたネジ部２０とを有する。ネジ部１８は、型枠保持具１０によって支持された型枠８１，８２間にコンクリートが打設されたときに該コンクリートによって埋設される部位である（図２参照）。ネジ部１８がコンクリートに埋設された状態でコンクリートが硬化すると、ネジ部１８とコンクリート構造物との接触部分にネジ部１８と同じピッチのネジ穴が形成される。また、ネジ部２０は、型枠８１の外側に配置される部位であり、このネジ部２０に公知のフォームタイ２８が螺合される（図２参照）。
【００２３】
ハネ部３１は、作業者がセパレータ１２を回転させる際に使用する工具が装着される部分である。この工具は、一般にセパ回しと呼ばれる公知の工具である。各ハネ部３１は、セパレータ１２の表面からセパレータ１２に直交する方向へ突出している。第１実施形態では、２つのハネ部３１がセパレータ１２から相反する方向へ突出している。ハネ部３１は、セパレータ１２と一体に形成されており、例えば、セパレータ１２にコーン１４を挿通させた後に、セパレータ１２をプレス加工することによって形成可能である。各ハネ部３１の頂部間の寸法は、コーン１４の貫通孔２４の内径よりも大きい。従って、ハネ部３１とリブ２６との間に配置されたコーン１４はセパレータ１２から脱抜できない。作業者によってセパ回しが操作されることによって回転力がハネ部３１に入力される。当該回転力をハネ部３１が受けると、セパレータ１２が軸周りに回転する。
【００２４】
図４に示されるように、コーン１６は、セパレータ１２の端部１９に螺着可能に構成されている。このコーン１６は、コーン本体４７と、コーン本体４７に固定された固定具４９（固定軸の一例）とを有する。
【００２５】
コーン本体４７は、略半球殻形状に形成されている。コーン本体４７は、鋼板をプレス加工することにより、或いは樹脂を射出成形することにより形成可能である。コーン本体４７は、略半球殻形状のものに限られず、後述されるように、コンクリート構造物からコーン本体４７が抜き出し可能な形状であればよい。従って、コーン本体４７の形状として、略半球殻形状の他に、円錐形状や四角錐形状、断面が台形の円柱形状などが採用され得る。なお、コーン本体４７が樹脂で形成されたコーン１６は、一般に、Ｐコン（ピーコン）或いはＰコーン（ピーコーン）と呼ばれている。
【００２６】
コーン本体４７の内部に筒状の取付座５１が設けられている。取付座５１は、コーン本体４７の湾曲部５５の中心部から内部に延出されており、その内孔は湾曲部５５の中心部に連通しており、外部に露出されている。コーン本体４７において、取付座５１が設けられた側とは反対の側は開口されている。この開口の周縁部６３（当接部の一例）に型枠８２が当接される（図２参照）。
【００２７】
固定具４９は、鋼製の丸棒状の部材を切削加工することにより得られる。固定具４９は、一方端にヘッド部５３を有し、他方端にネジ部５７を有する。ヘッド部５３は、取付座５１に嵌合可能なように、円柱状に形成されている。ヘッド部５３の先端にはネジ穴４５（螺着部の一例）が加工されている。ヘッド部５３がコーン本体４７の取付座５１に固定された状態で、ネジ穴４５が湾曲部５５の中心部から外側へ露出される。
【００２８】
ネジ部５７は、型枠８２の外側に配置される部位である。このネジ部５７に公知のフォームタイ２９が螺合される（図２参照）。
【００２９】
ヘッド部５３とネジ部５７との間にハネ部６１が形成されている。ハネ部６１は、上述したハネ部３１と同じ用途に用いられるものであり、同じ形状を有する。そのため、本明細書において、ハネ部６１の詳細な説明が省略される。
【００３０】
このように構成されたコーン１６がセパレータ１２の端部１９に螺着されることにより、型枠保持具１０が組み立てられる。なお、セパレータ１２にコーン１６が螺着された状態で、コーン本体４７の湾曲部５５が内側（図１の矢印４２側）へ向けられる。
【００３１】
以下、図２が参照されつつ、上述の如く構成された型枠保持具１０を用いてコンクリート構造物を構築する方法が説明される。
【００３２】
まず、作業者は、セパレータ１２の端部１９にコーン１６を螺着して、型枠保持具１０を組み立てる。そして、所定の位置に型枠８１及び型枠８２を立設させる。型枠８１には予め定められた位置に貫通孔６５が空けられており、作業者は、この貫通孔６５にセパレータ１２のネジ部２０を挿通させる。一方、型枠８２には、貫通孔６５に対向する位置に貫通孔６６が空けられており、作業者は、この貫通孔６６に固定具４９のネジ部５７を挿通させる。
【００３３】
次に、型枠８１の外側面にバタ材８４を当てがい、フォームタイ２８をセパレータ１２のネジ部２０に螺着させる。そして、フォームタイ２８のナット８８を締めつけることによって、フォームタイ２８とリブ２６との間で、バタ材８４及び型枠８１が圧接固定される。また、同様にして、型枠８２の外側面にバタ材８５を当てがい、フォームタイ２９を固定具４９のネジ部５７に螺着させる。そして、フォームタイ２９のナット８９を締めつけることによって、フォームタイ２９とコーン本体４７との間で、バタ材８５及び型枠８２が圧接固定される。これにより、リブ２６により移動が制止されたコーン１４によって、型枠８１が位置決めされ、コーン本体４７によって型枠８２が位置決めされるため、型枠８１と型枠８２との間隔がコーン１４の周縁部３３とコーン本体４７の周縁部６３との間隔に保持される。
【００３４】
次に、型枠８１と型枠８２との間に形成された空間にコンクリートが打設される。当該空間にコンクリートが打ち込まれると、セパレータ１２のネジ部１８がコンクリートに埋設される。なお、コーン１４の周縁部３３と型枠８１とが圧接されているため、コーン１４の内部にはコンクリートは入り込まない。同様に、コーン本体４７の周縁部６３と型枠８２とが圧接されているため、コーン本体４７の内部にもコンクリートは入り込まない。
【００３５】
コンクリートが硬化すると、ネジ部１８とコンクリート構造物との接触部分にネジ部１８と同じピッチのネジ穴が形成される。コンクリートが硬化した後に、作業者は、上述した手順とは逆の手順でナット８８，８９、フォームタイ２８，２９を緩めて取り外し、型枠８１，８２を硬化したコンクリート構造物から取り外す。このとき、コンクリート構造物は、一方の側面からセパレータ１２のネジ部２０が突出しており、他方の側面から固定具４９のネジ部５７が突出している状態である。
【００３６】
型枠８１，８２を取り外した後、作業者は、セパ回しをハネ部３１に装着して、セパレータ１２を抜き出す方向に回転させる。コンクリート構造物内には、ネジ部１８とコンクリート構造物との接触部分にネジ部１８と同じピッチのネジ穴が形成されている。そのため、セパレータ１２に回転力が加えられると、コンクリート構造物内に形成されたネジ穴に沿ってネジ部１８が回転しながら外側へ抜き出される。なお、セパレータ１２の抜き出し過程において、ネジ部１８はコーン１６のネジ穴４５から外れる。なお、コーン１６は、コンクリート構造物の内部に埋設する部分がないため、ネジ部５７を所定の工具で引っ張ることで容易に取り外される。
【００３７】
以上、説明されたように、第１実施形態では、セパレータ１２のうち、コンクリートに埋設される部分にネジ部１８が形成されているため、コンクリートの硬化後にセパ回しなどの工具でセパレータ１２が回転されることによって、コンクリート構造物からセパレータ１２が容易に抜き出される。これにより、セパレータ１２やコーン１４、コーン１６が切断、折損することがないため、これらの部材を再利用することができる。また、コンクリート構造物の内部にセパレータ１２の一部が残らないため、内部に残存する異物を起因とする亀裂が防止される。また、内部にセメント組成物以外の異物が残らないため、コンクリート構造物をリサイクル或いは廃棄処分する際の分別が容易となる。また、セパレータ１２がコンクリート構造物内に残存しないため、しかも、コンクリート構造物内にネジ穴が形成されるため、ネジ穴に現れた水分が外部に漏出し難くなる。
【００３８】
〈第２実施形態〉
次に、図５及び図６が参照されて、本考案の第２実施形態について説明される。ここに、図５は、本考案の第２実施形態に係る型枠保持具１００を示す正面図である。図６は、型枠保持具１００の構造を説明する部分断面図である。なお、第２実施形態においては、上記第１実施形態の型枠保持具１０と共通する構成要素については、型枠保持具１０の構成要素に付された符号と同じ符号が型枠保持具１００の構成要素に付されることにより、共通する構成要素に関する詳細な説明が省略される。
【００３９】
図５に示されるように、型枠保持具１００は、第１保持具１０１（第１保持体の一例）と第２保持具１０２（第２保持体の一例）とにより構成されている。
【００４０】
第１保持具１０１及び第２保持具１０２は、いずれも、セパレータ１２（セパレータ軸の一例）と、セパレータ１２に取り付けられたコーン１４（位置決め部材の一例）とを備えている。また、セパレータ１２の表面にリブ２６とハネ部３１とが設けられており、リブ２６とハネ部３１との間にコーン１４が取り付けられている。また、セパレータ１２は、リブ２６から端部１９Ａ，１９Ｂに渡ってネジが形成されたネジ部１８（第１部位の一例）と、ハネ部３１から端部２１に渡ってネジが形成されたネジ部２０とを有している。
【００４１】
更に、第１保持具１０１は、セパレータ１２の端部１９Ａに、ネジ部１８よりも径の小さいネジ部１０６が形成されている。このネジ部１０６は、端部１９Ａから軸方向へ突出している。一方、第２保持具１０２は、セパレータ１２の端部１９Ｂに、ネジ部１０６が螺合可能なネジ穴１０７が形成されている。
【００４２】
第２実施形態に係る型枠保持具１００は、第１保持具１０１及び第２保持具１０２それぞれのセパレータ１２同士が軸方向に互いに螺着されることによって構成されている。つまり、第１保持具１０１のネジ部１０６が第２保持具１０２のネジ穴１０７にねじ込まれることによって、型枠保持具１００が組み立てられる。
【００４３】
以上、説明されたように、第２実施形態では、第１保持具１０１及び第２保持具１０２によって型枠保持具１００が構成されているため、コンクリート構造物に第１保持具１０１及び第２保持具１０２それぞれのネジ部１８が埋設されたとしても、第１保持具１０１及び第２保持具１０２をセパ回しなどで回転させることにより、セパレータ１２を切断することなく、各保持具１０１，１０２が容易に抜き出される。
【図面の簡単な説明】
【００４４】
【図１】図１は、本考案の第１実施形態に係る型枠保持具１０を示す正面図である。
【図２】図２は、型枠保持具１０が型枠８１及び型枠８２間に配置された状態を示す模式断面図である。
【図３】図３は、セパレータ１２の外形及び断面を示す図であり、（Ａ）に外形図が示されており、（Ｂ）に断面図が示されている。
【図４】図４は、コーン１６の外形及び断面を示す図であり、（Ａ）に外形図が示されており、（Ｂ）に断面図が示されている。
【図５】図５は、本考案の第２実施形態に係る型枠保持具１００を示す正面図である。
【図６】図６は、型枠保持具１００の構造を説明する部分断面図である。
【符号の説明】
【００４５】
１０，１００・・・型枠保持具
１２・・・セパレータ
１４・・・コーン
１６・・・コーン
１８・・・ネジ部
２０・・・ネジ部
２６・・・リブ
２８，２９・・・フォームタイ
３１・・・ハネ部
４５・・・ネジ穴
４７・・・コーン本体
４９・・・固定具
５７・・・ネジ部
６１・・・ハネ部
８１，８２・・・型枠
１０１・・・第１保持具
１０２・・・第２保持具
【図１】
0003147984.tif 000003
【図２】
0003147984.tif 000004
【図３】
0003147984.tif 000005
【図４】
0003147984.tif 000006
【図５】
0003147984.tif 000007
【図６】
0003147984.tif 000008